(57)【要約】      （修正有）【課題】オープン状態／クローズ状態における搬送トレイの位置決めを精度よく低コストで実現することができ、アンロード動作／ロード動作が滑らかで高い動作品位を有し、美観に優れる電子機器または映像音響機器を提供する。【解決手段】記録媒体装填装置は、搬送トレイ３が、トレイパネル２と、第１ボス３ｉと、第１ボスから搬送トレイが移動可能な距離Ｘよりも長い距離で離れてガイドレール４ａに沿って移動可能に前側に設けられる第２ボス３ｊとを有し、ローダー部４のガイドレールが、クローズ状態で搬送トレイの第１ボスが係合するように幅が狭くなる第１溝部４ｃと、第１溝部から前側に距離Ｘで離れて設けられてオープン状態で搬送トレイの第１ボスが係合するように幅が狭くなる第２溝部４ｄと、第２溝部から前側に距離で離れて設けられてオープン状態で搬送トレイの第２ボスが係合するように幅が狭くなる第３溝部４ｅとを有する。【選択図】図９
2020135911.tif 000002
【特許請求の範囲】
【請求項１】
記録媒体を載置する搬送トレイと、該搬送トレイの複数のガイド部に摺動可能に係合するガイドレールに沿って該搬送トレイを前進または後退させるローダー部と、該ローダー部が取り付けられて該搬送トレイが出入りする開口を規定するパネル部材を少なくとも有する筐体と、を備える記録媒体装填装置であって、
該搬送トレイが、クローズ状態で該パネル部材に係合して該開口を閉鎖するトレイパネルと、該トレイパネルから後側に離れた位置に該ガイドレールに沿って移動可能に設けられる第１ボスと、該第１ボスから該搬送トレイが移動可能な距離Ｘよりも長い距離Ｙで離れて該ガイドレールに沿って移動可能に前側に設けられる第２ボスと、を有し、
該ローダー部の該ガイドレールが、該クローズ状態で該搬送トレイの該第１ボスが係合するように幅が狭くなる第１溝部と、該第１溝部から前側に該距離Ｘで離れて設けられてオープン状態で該搬送トレイの該第１ボスが係合するように幅が狭くなる第２溝部と、該第２溝部から前側に該距離Ｙで離れて設けられて該オープン状態で該搬送トレイの該第２ボスが係合するように幅が狭くなる第３溝部と、を有する、
記録媒体装填装置。
【請求項２】
前記搬送トレイの前記トレイパネルが、後側に突出する凸部を有し、前記筐体の前記パネル部材が、前記開口周囲に前記クローズ状態において該凸部が係合する凹部を有する、
請求項１に記載の記録媒体装填装置。
【請求項３】
前記搬送トレイが、複数の前記ガイド部との間に前記ガイドレールを挟持する複数のフック部をさらに有し、複数の該ガイド部および複数の該フック部のうち少なくとも同じ４カ所が該ガイドレールに当接した状態で該搬送トレイが前進または後退する、
請求項２に記載の記録媒体装填装置。
【請求項４】
請求項１から３のいずれかに記載の記録媒体装填装置を含む、電子機器または映像音響機器。
【発明の詳細な説明】
【技術分野】
【０００１】
本発明は、光ディスク等の記録媒体を所定の基準軸に沿って前進または後退させてアンロード動作／ロード動作する記録媒体装填装置、およびこれを用いた電子機器または映像音響機器に関する。
【背景技術】
【０００２】
電子機器またはＤＶＤプレーヤー等の映像音響機器は、筐体を構成するパネル部材に開口を有し、この開口から光ディスク等の記録媒体を搬送する搬送トレイを前進または後退させてアンロード動作／ロード動作する記録媒体装填装置を有する場合がある。例えば、記録媒体装填装置は、光ディスクを読み取り／書き込み動作するディスクドライブ装置と一体に構成されて、記録媒体を筐体内の所定の位置に装填可能にする。
【０００３】
記録媒体装填装置は、搬送トレイを前進または後退させて移動し、搬送トレイが開口の内側に収まる場合に記録媒体を所定位置に装填し、開口から突出する場合に記録媒体を載置可能または排出可能にするように動作する。搬送トレイを前進させて開口から突出させる動作をアンロード動作またはイジェクト動作と呼び、搬送トレイが前方に出て停止した状態をオープン状態と呼ぶ場合がある。また、搬送トレイを後退させて開口内に納める動作をロード動作またはローディング動作と呼び、搬送トレイが筐体に収まった状態をクローズ状態と呼ぶ場合がある。記録媒体装填装置において、搬送トレイを前進または後退させるには、搬送トレイに設けたラックに噛み合うピニオンを、モーターで制御して回転させる機構が採用されることが多く、具体的には様々な構造・機構が採用される。
【０００４】
搬送トレイを前進または後退させる記録媒体装填装置を有する電子機器または映像音響機器では、アンロード動作／ロード動作における搬送トレイの動きが、滑らかで不規則な挙動を含まない高い動作品位が求められる。例えば、搬送トレイが前進または後退して移動する際に振動する、あるいは、停止する際に震える、または振動に起因する異音が生じる、あるいは、オープン状態／クローズ状態における搬送トレイの位置決め（所定の位置に静止すること）が定まらない、などの好ましくない挙動を含む場合は、動作品位が低くなり、使用者に好ましくない印象を与える。特に、クローズ状態における搬送トレイの筐体の開口に対する位置決めが定まらずにずれていると、外観視される隙間が均等にならず、著しく美観が低下するという問題がある。
【０００５】
例えば、従来には、ディスクトレイとトレイ飾りとの取付け構造において、ディスクトレイに固定される取付け用フレームをトレイ飾りから分離し、トレイ飾りを単独で変位可能とすることにより、キャビネットの凹入部内でのトレイ飾りのセンタリングを容易に行えるようにするものがある（特許文献１）。また、トレイの正面にはトレイパネルを取付けると共にトレイパネルをトレイ正面側へ弾性力を付勢することが出来る弾性体を設け、そしてトレイパネルの背面両側には凹部を設け、一方トレイがスライドする為に通過するフロントパネルに設けた開口の底に平坦面を設けると共に開口両側には凸部を形成し、トレイが後退して収納された場合にトレイパネルの外周背面は平坦面に接し、上記凹部と凸部が互いに係合することを特徴とするディスク再生装置のトレイ構造がある（特許文献２）。ただし、フローティング機構を有するトレイ飾りを装備する場合には、フローティング機構を構成する部品が増加し、コストアップを招くという問題がある。
【０００６】
また、従来には、ローディングトレイを緩挿し前面に向かって開口面積が漸次大きくなる側壁を有し前面の開口端に鍔部を有し筐体に設けた開口部に取り付けられるローダーパネル受け部と、ローダーパネル受け部の鍔部の外周側面に嵌合する開口部を有するフロントパネルと、ローディングトレイの前面に取り付けられ前方に向かって断面面積が漸次大きくなる側壁を有し側壁の端部にフロントパネルに設けた開口部を緩挿する鍔部を有するローダーパネルを具備し、ローダーパネルの鍔部がローダーパネル受け部の鍔部に当接したときローダーパネル受け部の側壁にローダーパネルの側壁が接触することを特徴とした記録再生装置がある（特許文献３）。つまり、ディスクトレイ前面にガイド構造を設け、フロントパネルの開口部で位置決めができるものがある。
【０００７】
しかし、この構造はローダー自体のディスクトレイの位置決め構造にフロントパネルの開口部との位置決めが付加され、トレイが移動する方向の直線上に少なくとも３箇所の位置決め構造を有することになる。すなわち、ローダー部とトレイとの間の２箇所で既に定まっている位置決めに第三の位置決めが付加される。３箇所の位置決めをローディングスタックなどの不具合を防止するように精度良く収めるには、非常に高い組立精度を要することになって困難であり、さらにコストアップの要因となるという問題がある。
【先行技術文献】
【特許文献】
【０００８】
【特許文献１】特開２０１０−９６７８号公報
【特許文献２】特許第３８０３７８９号公報
【特許文献３】特開２０００−１６３９４３号公報
【発明の概要】
【発明が解決しようとする課題】
【０００９】
本発明は、上記の従来技術が有する問題を解決するためになされたものであり、その目的は、記録媒体を載置する搬送トレイを所定の基準軸に沿って前進または後退させる記録媒体装填装置において、オープン状態／クローズ状態における搬送トレイの位置決めを精度よく低コストで実現することができ、アンロード動作／ロード動作が滑らかで高い動作品位を有し、美観に優れる電子機器または映像音響機器を提供することにある。
【課題を解決するための手段】
【００１０】
本発明の記録媒体装填装置は、記録媒体を載置する搬送トレイと、搬送トレイの複数のガイド部に摺動可能に係合するガイドレールに沿って搬送トレイを前進または後退させるローダー部と、ローダー部が取り付けられて搬送トレイが出入りする開口を規定するパネル部材を少なくとも有する筐体と、を備える記録媒体装填装置であって、搬送トレイが、クローズ状態でパネル部材に係合して開口を閉鎖するトレイパネルと、トレイパネルから後側に離れた位置にガイドレールに沿って移動可能に設けられる第１ボスと、第１ボスから搬送トレイが移動可能な距離Ｘよりも長い距離Ｙで離れてガイドレールに沿って移動可能に前側に設けられる第２ボスと、を有し、ローダー部のガイドレールが、クローズ状態で搬送トレイの第１ボスが係合するように幅が狭くなる第１溝部と、第１溝部から前側に距離Ｘで離れて設けられてオープン状態で搬送トレイの第１ボスが係合するように幅が狭くなる第２溝部と、第２溝部から前側に距離Ｙで離れて設けられてオープン状態で搬送トレイの第２ボスが係合するように幅が狭くなる第３溝部と、を有する。
【００１１】
好ましくは、本発明の記録媒体装填装置は、搬送トレイのトレイパネルが、後側に突出する凸部を有し、筐体のパネル部材が、開口の周囲にクローズ状態において凸部が係合する凹部を有する。
【００１２】
好ましくは、本発明の記録媒体装填装置は、搬送トレイが、複数のガイド部との間にガイドレールを挟持する複数のフック部をさらに有し、複数のガイド部および複数のフック部のうち少なくとも同じ４カ所がガイドレールに当接した状態で搬送トレイが前進または後退する。
【００１３】
また、本発明の電子機器または映像音響機器は、上記の記録媒体装填装置を含む。
【００１４】
以下、本発明の作用について説明する。
【００１５】
本発明の記録媒体装填装置は、記録媒体を載置する搬送トレイ（３）と、搬送トレイ（３）の複数のガイド部（３ｅ〜３ｈ）に摺動可能に係合するガイドレール（４ａ）に沿って搬送トレイ（３）を前進または後退させるローダー部（４）と、ローダー部（４）が取り付けられて搬送トレイ（３）が出入りする開口（１ａ）を規定するパネル部材（１）を少なくとも有する筐体と、を備える。
【００１６】
搬送トレイ（３）は、クローズ状態でパネル部材（１）に係合して開口（１ａ）を閉鎖するトレイパネル（２）と、トレイパネル（２）から後側に離れた位置にガイドレール（４ａ）に沿って移動可能に設けられる第１ボス（３ｉ）と、第１ボス（３ｉ）から搬送トレイ（３）が移動可能な距離Ｘよりも長い距離Ｙで離れてガイドレール（４ａ）に沿って移動可能に前側に設けられる第２ボス（３ｊ）と、を有する。記録媒体装填装置は、搬送トレイ（３）のトレイパネル（２）が、後側に突出する凸部（２ａ）を有し、筐体のパネル部材（１）が、開口（１ａ）の周囲にクローズ状態において凸部（２ａ）が係合する凹部（１ｂ）を有していてもよい。
【００１７】
さらに、ローダー部（４）のガイドレール（４ａ）は、クローズ状態で搬送トレイ（３）の第１ボス（３ｉ）が係合するように幅が狭くなる第１溝部（４ｃ）を有する。したがって、搬送トレイ（３）は、クローズ状態では、トレイパネル（２）と開口（１ａ）との間で前方側の位置決めを行い、搬送トレイ（３）の第１ボス（３ｉ）とガイドレール（４ａ）の第１溝部（４ｃ）との間で後方側の位置決めを行う。
【００１８】
さらに、ローダー部（４）のガイドレール（４ａ）は、第１溝部（４ｃ）から前側に距離Ｘで離れて設けられてオープン状態で搬送トレイの第１ボス（３ｉ）が係合するように幅が狭くなる第２溝部（４ｄ）と、第２溝部（４ｄ）から前側に距離Ｙで離れて設けられてオープン状態で搬送トレイ（３）の第２ボス（３ｊ）が係合するように幅が狭くなる第３溝部（４ｅ）と、を有する。したがって、搬送トレイ（３）は、オープン状態では、第１ボス（３ｉ）とガイドレール（４ａ）の第２溝部（４ｄ）との間で後方側の位置決めを行い、第２ボス（３ｊ）とガイドレール（４ａ）の第３溝部（４ｅ）との間で前方側の位置決めを行う。
【００１９】
その結果、記録媒体装填装置は、併せて前後方向の２箇所の位置決めによりクローズ状態での搬送トレイ（３）とパネル部材（１）の開口（１ａ）との位置決めができる。また、記録媒体装填装置は、併せて前後方向の２箇所の位置決めによりオープン状態での搬送トレイ（３）の挙動を抑え、動作品位を確保できる。高い組立精度が必要な第３の位置決めを要しないので、本発明の記録媒体装填装置は、低コストに精度よく組み立てることができる利点がある。
【００２０】
記録媒体装填装置は、搬送トレイ（３）が、複数のガイド部（３ｅ〜３ｈ）との間にガイドレール（４ａ、４ｂ）を挟持する複数のフック部（３ａ〜３ｄ）をさらに有するのが好ましい。複数のガイド部（３ｅ〜３ｈ）および複数のフック部（３ａ〜３ｄ）のうち少なくとも同じ４カ所がガイドレール（４ａ、４ｂ）に当接した状態で搬送トレイ（３）が前進または後退するようにできる。したがって、搬送トレイ（３）の首振りの挙動などが生じずに、そのアンロード動作／ロード動作を滑らかにでき、高い動作品位を実現することができる。
【発明の効果】
【００２１】
本発明の記録媒体装填装置は、オープン状態／クローズ状態における搬送トレイの位置決めを精度よく低コストで実現することができ、アンロード動作／ロード動作が滑らかで高い動作品位を有し、美観に優れる電子機器または映像音響機器を提供できる。
【図面の簡単な説明】
【００２２】
【図１】本発明の好ましい実施形態による記録媒体装填装置を含むディスク再生装置１０を説明する図である。（実施例１）
【図２】本発明の好ましい実施形態による記録媒体装填装置を構成するパネル部材（１）を説明する斜視図である。（実施例１）
【図３】本発明の好ましい実施形態による記録媒体装填装置を構成する搬送トレイ（３）を説明する図である。（実施例１）
【図４】本発明の好ましい実施形態による記録媒体装填装置を構成する搬送トレイ（３）を説明する図である。（実施例１）
【図５】本発明の好ましい実施形態による記録媒体装填装置を構成するローダー部（４）を説明する図である。（実施例１）
【図６】本発明の好ましい実施形態による記録媒体装填装置のクローズ状態を説明する図である。（実施例１）
【図７】本発明の好ましい実施形態による記録媒体装填装置のクローズ状態を説明する図である。（実施例１）
【図８】本発明の好ましい実施形態による記録媒体装填装置のオープン状態を説明する図である。（実施例１）
【図９】本発明の好ましい実施形態による記録媒体装填装置のオープン状態を説明する図である。（実施例１）
【発明を実施するための形態】
【００２３】
以下、本発明の好ましい実施形態による記録媒体装填装置およびこれを用いた電子機器または映像音響機器について説明するが、本発明はこれらの実施形態には限定されない。
【実施例１】
【００２４】
図１Ａおよび図１Ｂは、本発明の好ましい実施形態による記録媒体装填装置を含むディスク再生装置１０について説明する図である。具体的には、図１Ａは、ディスク再生装置１０の搬送トレイ３を収容したクローズ状態を説明する斜視図であり、図１Ｂは、トレイ３をイジェクトしたオープン状態を説明する斜視図である。ディスク再生装置１０は、複数の（図示しない）光ディスクをアンロード（イジェクト）動作／ロード（ローディング）動作する記録媒体装填装置（本実施例の場合はカルーセルチェンジャー）を備えるディスクドライブ装置であって、例えば、ＣＤプレーヤー等の映像音響機器を構成する。
【００２５】
図１Ａおよび図１Ｂでのディスク再生装置１０は、筐体５の内部を覆い隠す天板を図示しないように除いている。なお、以後の図においては、記録媒体装填装置以外の説明に不要なディスク再生装置１０の筐体の詳細な構成については、図示並びに説明を省略するとともに、搬送トレイ３の一部を透明視してその構成を図示している。
【００２６】
ディスク再生装置１０の筐体５は、フロントパネル１に矩形状の開口１ａを有し、この開口１ａを閉鎖するトレイパネル２は、前後に移動する搬送トレイ３に連結している。ユーザーが、アンロード動作／ロード動作を制御する（図示しない）マイクロコンピュータ（マイコン）に指示を与える操作ボタンを押すと、ローダー部４がトレイパネル２および搬送トレイ３が前後に移動させる。マイコンは、後述するローダー部４の（図示しない）モーターに所定のコマンドを送り、モーターを回転させてローダー部４が備える搬送トレイ３に連結するラック＆ピニオンの機構を動作させる。ユーザーは、光ディスクを搬送トレイ３に載置して、ロード動作させて搬送トレイ３を収容すると、光ディスクを記録媒体装填装置と一体に構成されたディスクドライブ装置に再生させる処理を行うことができる。
【００２７】
図２Ａに示すように、フロントパネル１は、樹脂で成形される部材、あるいは、アルミ押出で成形される部材であって、その中央部に略矩形状の開口１ａを有する。図２Ｂまたは図２Ｃの一部拡大図に示すように、開口１ａを規定する縁部の左右には、パネル面から奥まった位置にトレイパネル２が当接する段部がそれぞれ設けられて、凹部（１ｂ、１ｃ）が設けられている。
【００２８】
図３Ａは搬送トレイ３の上面側を示す斜視図であり、図４Ａは搬送トレイ３の下面側を示す斜視図である。本実施例の搬送トレイ３は、樹脂で成形される部材であって、上面側に６枚の光ディスクが載置可能であり、ローダー部４により回転を伴って前進または後退して、６枚の内の少なくとも１枚の光ディスクを交換可能なように、アンロード動作／ロード動作するように意図されている。図１に示すように、搬送トレイ３は、クローズ状態からオープン状態になる場合に距離Ｘだけ前方に移動する。
【００２９】
図３Ａ〜図３Ｃまたは図４Ａに示すように、トレイパネル２は、樹脂で成形される部材であって、搬送トレイ３の前面側の端部に連結されている。前面視されるトレイパネル２は、搬送トレイ３の意匠を改善する飾りの部材であり、また、クローズ状態での搬送トレイ３の位置決めを行い、搬送トレイ３の収容時にフロントパネル１の開口１ａを閉鎖して筐体５の内部にゴミ又は塵が入らないようにする。
【００３０】
図３Ｂまたは図３Ｃの一部拡大図に示すように、トレイパネル２の左右両端には、後側に突出する凸部２ａおよび２ｂが設けられている。凸部２ａおよび２ｂは、それぞれフロントパネル１の開口１ａの周囲に設けられている凹部１ｂまたは凹部１ｃにクローズ状態において係合するようになっている。本実施例では貫通孔である左側の凹部１ｂは円形の孔であり、貫通孔である右側の凹部１ｃは左右方向に長い長円状の孔である。
【００３１】
また、図４は、搬送トレイ３の下面側を示す図である。図４Ａ〜図４Ｅに図示するように、樹脂で形成される基体を有する搬送トレイ３は、光ディスクを載置する上面側の反対の下面側に、後述するローダー部４のガイドレール４ａ並びに４ｂにそれぞれ摺動可能に係合するガイド部３ｅおよび３ｆ並びに３ｇおよび３ｈを備えている。図４Ｂ〜図４Ｅの一部拡大図に示すように、ガイド部（３ｅ〜３ｈ）は、前後方向に延びたリブの全高がその場所で一段と高くなるよう形成されたリブに含まれる平面部分であり、ローダー部４のガイドレール（４ａ、４ｂ）に対する摺動面となる。左右方向の一方側に配置される２つのガイド部３ｅおよび３ｆは、搬送トレイ３の移動する距離Ｘだけ前後方向に離間している。同様に、左右方向の他方側に配置される２つのガイド部３ｈおよび３ｇは、搬送トレイ３の移動する距離Ｘだけ前後方向に離間している。
【００３２】
また、図４Ａに図示するように、搬送トレイ３の下面側には、ガイド部３ｅの直ぐ後側にローダー部４のガイドレール４ａに摺動可能に係合する第１ボス３ｉが設けられている。また、第１ボス３ｉから距離Ｘよりも長い距離Ｙだけ前側にローダー部４のガイドレール４ａに摺動可能に係合する第２ボス３ｊが設けられている。その結果、距離Ｘだけ離間している２つのガイド部３ｅおよび３ｆは、距離Ｘよりも長い距離Ｙだけ離間している２つの第１ボス３ｉおよび第２ボス３ｊの間に挟まれるように配置されている。本実施例の第１ボス３ｉおよび第２ボス３ｊは、ガイド部３ｅまたは３ｆよりも幅が広い円柱状の部分として形成されている。
【００３３】
また、搬送トレイ３のガイド部（３ｅ〜３ｈ）のそれぞれの近くには、ガイド部（３ｅ〜３ｈ）との間にガイドレール（４ａ、４ｂ）を挟持する複数のフック部（３ａ〜３ｄ）がさらに設けられている。フック部（３ａ〜３ｄ）は、ガイド部（３ｅ〜３ｈ）とともに、搬送トレイ３がローダー部４のガイドレール（４ａ、４ｂ）に当接した状態で前進または後退することができるように、ガイドレール（４ａ、４ｂ）に対して摺動する。
【００３４】
また、図５Ａに図示するように、ローダー部４の上面側には、左右にそれぞれガイドレール４ａおよびガイドレール４ｂが設けられている。ガイドレール４ａおよびガイドレール４ｂは、前後方向に設けられた溝部を形成する部分であって、搬送トレイ３のガイド部（３ｅ〜３ｈ）が前後方向に摺動可能な平面を溝部の底に含む。具体的には、左右方向の一方側に配置されるガイドレール４ａには、搬送トレイ３のガイド部３ｅおよび３ｆと、２つの第１ボス３ｉおよび第２ボス３ｊとが摺動可能に配置される。また、左右方向の他方側に配置されるガイドレール４ｂには、搬送トレイ３のガイド部３ｇおよび３ｈが摺動可能に配置される。
【００３５】
図５Ａおよび図５Ｂ〜図５Ｄの一部拡大図に図示するように、ガイドレール４ａには、最も後側で溝部の幅が狭くなる第１溝部４ｃと、第１溝部４ｃから前側に距離Ｘだけ離間した位置で溝部の幅が狭くなる第２溝部４ｄと、第２溝部４ｄからさらに前側に距離Ｙだけ離間した位置で溝部の幅が狭くなる第３溝部４ｅと、が形成されている。第１溝部４ｃ、第２溝部４ｄ並びに第３溝部４ｅの溝部の幅は、第１ボス３ｉおよび第２ボス３ｊの円柱状の直径とほぼ同じか若干大きい寸法に調整されている。
【００３６】
つまり、最も後側の第１溝部４ｃは、クローズ状態で搬送トレイ３の第１ボス３ｉが係合するように幅が狭くなる部分である。また、中間に位置する第２溝部４ｄは、オープン状態で搬送トレイ３の第１ボス３ｉが係合するように幅が狭くなる部分である。また、最も前側の第３溝部４ｅは、オープン状態で搬送トレイ３の第２ボス３ｊが係合するように幅が狭くなる部分である。ガイドレール４ａの狭くなった溝部と第１ボス３ｉまたは第２ボス３ｊとが係合すると、ローダー部４に対して前後方向に移動する搬送トレイ３の位置決めを図ることができる。
【００３７】
図６Ａ、図６Ｂ、図７Ａおよび図７Ｂは、ディスク再生装置１０がクローズ状態で搬送トレイ３が収容されている場合を説明する図である。また、図８、図９Ａおよび図９Ｂは、オープン状態で搬送トレイ３がイジェクトされている場合を説明する図である。図６Ａおよび図８は、ディスク再生装置１０を側面視した断面図であり、図６Ｂは図６Ａの一部拡大断面図である。また、図７Ａおよび図９Ａは、ディスク再生装置１０を上面視した平面図であり、フロントパネル１および筐体５の図示を省略している。また、図７Ｂ、図７Ｃ、図９Ｂおよび図９Ｃは、それぞれ図７Ａおよび図９Ａでの搬送トレイ３の下側に隠れる部分を一部で透明視して拡大した断面図である。
【００３８】
ディスク再生装置１０のクローズ状態では、搬送トレイ３の前端側は、図６Ａおよび図６Ｂに示すように、トレイパネル２の左右両端に設けられた後側に突出する凸部２ａおよび２ｂと、フロントパネル１の開口１ａの周囲に設けられている凹部１ｂまたは凹部１ｃと、が係合することで位置決めされ、静止位置が定まる。右側の凹部１ｃは左右方向に長い長円状の孔であり、円形の孔である左側の凹部１ｂよりも若干大きく形成されているので、精度良く搬送トレイ３の前端側を位置決めすることができ、かつ、フロントパネル１またはトレイパネル２の成形寸法が公差の範囲で変動することがあっても、トレイパネル２がフロントパネル１の開口１ａの周囲に衝突してローディングスタックするような不具合が発生しない。
【００３９】
また、ディスク再生装置１０のクローズ状態では、搬送トレイ３の後端側は、図７Ａおよび図７Ｂに示すように、搬送トレイ３の第１ボス３ｉと、第１ボス３ｉが摺動可能に配置されるガイドレール４ａにおける最も後側で溝部の幅が狭くなる第１溝部４ｃと、が係合することで左右方向が位置決めされる。なお、上下方向は、第１ボス３ｉの近くに設けられるガイド部３ｅとガイドレール４ａを挟持するフック部３ａとにより、位置決めされる。
【００４０】
また、ディスク再生装置１０のクローズ状態では、図７Ｃに示すように、搬送トレイ３の第２ボス３ｊと、第２ボス３ｊが摺動可能に配置されるガイドレール４ａにおける中間で溝部の幅が狭くなる第２溝部４ｄと、は係合しない位置関係になるように配置されている。２つの第１ボス３ｉおよび第２ボス３は、搬送トレイ３が移動する距離Ｘよりも長い距離Ｙだけ離間するように配置されているからである。その結果、ディスク再生装置１０のクローズ状態では、搬送トレイ３の前端側（凸部２ａおよび凹部１ｂ、凸部２ｂおよび凹部１ｃ）と後端側（第１ボス３ｉおよび第１溝部４ｃ）の２カ所が位置決めされるので、非常に高い組立精度が必要な第３の位置決めを設けずに済む。
【００４１】
ディスク再生装置１０のオープン状態では、搬送トレイ３は前側に距離Ｘだけ前進するので、その前端側は、図８に示すように、フロントパネル１の開口１ａから前方に突出して、トレイパネル２を直接に支持して位置決めできない。そこでオープン状態では、図９Ａおよび図９Ｃに示すように、搬送トレイ３の第２ボス３ｊと、第２ボス３ｊが摺動可能に配置されるガイドレール４ａにおける最も前側で溝部の幅が狭くなる第３溝部４ｅと、が係合することで左右方向が位置決めされる。なお、上下方向は、第２ボス３ｊの近くに設けられるガイド部３ｆとガイドレール４ａを挟持するフック部３ｂとにより、位置決めされる。
【００４２】
また、ディスク再生装置１０のオープン状態では、搬送トレイ３の後端側は、図９Ａおよび図９Ｂに示すように、搬送トレイ３の第１ボス３ｉと、第１ボス３ｉが摺動可能に配置されるガイドレール４ａにおける中間で溝部の幅が狭くなる第２溝部４ｄと、が係合することで左右方向が位置決めされる。なお、上下方向は、第１ボス３ｉの近くに設けられるガイド部３ｅとガイドレール４ａを挟持するフック部３ａとにより、位置決めされる。つまり、ディスク再生装置１０のオープンでも、搬送トレイ３の前端側（第２ボス３ｊおよび第３溝部４ｅ）と後端側（第１ボス３ｉおよび第２溝部４ｄ）の２カ所が位置決めされるので、非常に高い組立精度が必要な第３の位置決めを設けずに済む。
【００４３】
本実施例のディスク再生装置１０は、クローズ状態でも、オープン状態でも、搬送トレイ３の位置決めを非常に高い組立精度が必要な第３の位置決めを設けずに前後２カ所で済ませることができるので、低コストに精度よく組み立てることができる利点がある。
【００４４】
また、上記の説明の通り、複数のガイド部（３ｅ〜３ｈ）および複数のフック部（３ａ〜３ｄ）のうち少なくとも同じ４カ所がガイドレール４ａまたは４ｂに当接した状態で搬送トレイ３が前進または後退する。具体的には、ガイドレール４ａの底面に対して摺動するガイド部３ｅおよび３ｆと、ガイドレール４ｂの底面に対して摺動するガイド部３ｇおよび３ｈと、のみが摺動で接触する部分となり、搬送トレイ３の移動が止まるまでは接触する部分が変化しない。したがって、この構造は、搬送トレイ３が首振り、または、シーソー的に揺れるような挙動を抑制することができ、そのアンロード動作／ロード動作を滑らかにでき、高い動作品位を実現することができる。
【００４５】
なお、本実施例では、第１溝部４ｃと、第２溝部４ｄおよび第３溝部４ｅは、一方のガイドレール４ａのみに設けられているが、ガイド部３ｈおよび３ｇのすぐ近くに対応する第１ボス３ｉおよび第２ボス３ｊが搬送トレイ３に設けられているのであれば、他方のガイドレール４ｂにも同様に対応する第１溝部４ｃと、第２溝部４ｄおよび第３溝部４ｅを設けてもよい。
【００４６】
本発明は上記実施例に限定されない。搬送トレイ３のガイド部と、ローダー部４のガイドレールは、それらの基体の左右方向の中心に近い位置に形成されていてもよい。また、トレイパネル２と搬送トレイ３とは一体に成形されていてもよい。
【産業上の利用可能性】
【００４７】
本発明の記録媒体装填装置は、映像信号又は音声信号を記録・再生するディスク再生装置１０のみならず、他の映像音響機器又は電子計算機等の機器の記録媒体装填装置にも適用が可能である。
【符号の説明】
【００４８】
１            フロントパネル
１ａ          開口
１ｂ、１ｃ    凹部
２            トレイパネル
２ａ、２ｂ    凸部
３            搬送トレイ
３ａ〜３ｄ    フック部
３ｅ〜３ｈ    ガイド部
３ｉ〜３ｊ    ボス
４            ローダー部
４ａ          ガイドレール
４ｃ〜４ｅ    溝部
５            筐体
１０          ディスク再生装置
【図１】
2020135911.tif 000003
【図２】
2020135911.tif 000004
【図３】
2020135911.tif 000005
【図４】
2020135911.tif 000006
【図５】
2020135911.tif 000007
【図６】
2020135911.tif 000008
【図７】
2020135911.tif 000009
【図８】
2020135911.tif 000010
【図９】
2020135911.tif 000011